(57)【要約】【課題】店舗側で集客したいときに，店舗の周辺にいる通行人に電子クーポンを配布することのできるクーポン配布装置を提供する。【解決手段】店舗４ａに顧客が少ないときなど，店舗４ａ側で電子クーポンを配布し集客したいとき，店舗４ａ側の装置４を用い，ユーザに配布する電子クーポンを電子クーポン配布装置２に送信すると，電子クーポン配布装置２は，携帯情報端末３に備えられたＧＰＳの機能を利用して，電子クーポン配布装置２に会員登録しているユーザが所持している携帯情報端末３の位置情報を把握し，店舗４ａの所在位置と携帯情報端末３の位置情報間の距離が，店舗４ａの所在位置を中心とした距離条件に適合する携帯情報端末３に対して，店舗４ａから受信した電子クーポンを送信する処理を行う。【選択図】図１
2012003428.tif 000002
【特許請求の範囲】
【請求項１】
位置情報を取得する位置情報取得部を備えた携帯情報端末に対して電子クーポンを配布する電子クーポン配布装置であって，
前記電子クーポン配布装置は，前記電子クーポンを配信するための情報が入力されると，通信番号が登録されている前記携帯情報端末に対して位置情報の送信要求を行い，前記携帯情報端末から受信した位置情報毎に，前記電子クーポンを送信した店舗の所在位置と前記携帯情報端末の位置情報間の距離を算出する距離算出部と，前記電子クーポンを配布する距離条件に該距離が適合する前記携帯情報端末を抽出し，抽出した前記携帯情報端末に対して，前記装置から受信した前記電子クーポンを送信する電子クーポン配布部を備えていることを特徴とする電子クーポン配布装置。
【請求項２】
前記電子クーポン配布装置の前記電子クーポン配布部は，前記装置から前記電子クーポンと共に前記距離条件が送信された場合，前記装置から受信した前記距離条件を用いて，前記電子クーポンを送信する前記携帯情報端末を抽出することを特徴とする，請求項１に記載の電子クーポン配布装置。
【請求項３】
位置情報を取得する位置情報取得部を備えた携帯情報端末と，前記携帯情報端末に対して電子クーポンを配布する電子クーポン配布装置とから少なくとも構成される電子クーポン配布システムであって，
前記携帯情報端末には，前記電子クーポン配布装置から位置情報の送信要求を受けると，この時点の位置情報を前記位置情報検出部から取得し，該位置情報を前記電子クーポン配布装置へ送信し，前記電子クーポン配布装置から受信した電子クーポンを受信すると，該電子クーポンを記憶するアプリケーションが実装され，
前記電子クーポン配布装置は，前記電子クーポンの発行元となる店舗側の装置から前記電子クーポンが送信されると，通信番号が登録されている前記携帯情報端末に対して位置情報の送信要求を行い，前記携帯情報端末から受信した位置情報毎に，前記電子クーポンを送信した店舗の所在位置と前記携帯情報端末の位置情報間の距離を算出する距離算出部と，前記電子クーポンを配布する距離条件に該距離が適合する前記携帯情報端末を抽出し，抽出した前記携帯情報端末に対して，前記装置から受信した前記電子クーポンを送信する電子クーポン配布部を備えていることを特徴とする電子クーポン配布システム。
【請求項４】
前記電子クーポン配布装置の前記電子クーポン配布部は，前記装置から前記電子クーポンと共に前記距離条件が送信された場合，前記装置から受信した前記距離条件を用いて，前記電子クーポンを送信する前記携帯情報端末を抽出することを特徴とする，請求項３に記載の電子クーポン配布システム。
【請求項５】
位置情報を取得する位置情報取得部を備えた携帯情報端末と，前記携帯情報端末に対して電子クーポンを配布する電子クーポン配布装置を利用した電子クーポン配布方法であって，
前記電子クーポン配布装置が，前記電子クーポンの発行元となる店舗側の装置から前記電子クーポンを受信するステップａ，
前記電子クーポン配布装置が，通信番号が登録されている前記携帯情報端末に対して位置情報の送信要求を行い，前記携帯情報端末から位置情報を受信するステップｂ，
前記電子クーポン配布装置が，前記携帯情報端末から受信した位置情報毎に，前記電子クーポンを送信した店舗の所在位置と前記携帯情報端末の位置情報間の距離を算出するステップｃ，
前記電子クーポン配布装置が，前記ステップｃで算出した距離が，前記電子クーポンを配布する距離条件に適合する前記携帯情報端末を抽出し，抽出した前記携帯情報端末に対して，前記ステップａで受信した前記電子クーポンを送信するステップｄ，
が実行されることを特徴とする電子クーポン配布方法。
【請求項６】
前記ステップａにおいて，前記電子クーポン配布装置は，前記装置から前記電子クーポンと共に前記距離条件を受信した場合，前記ステップｃにおいて，前記電子クーポン配布装置は，前記装置から受信した前記距離条件を用いて，前記電子クーポンを送信する前記携帯情報端末を抽出することを特徴とする，請求項５に記載の電子クーポン配布方法。
【発明の詳細な説明】
【技術分野】
【０００１】
本発明は、紙媒体のクーポン券が電子化された電子クーポンを携帯情報端末に配布するための技術に関する。
【背景技術】
【０００２】
携帯電話やスマートフォンなどの携帯情報端末の普及に伴い，商品の割引サービスや商品の無料サービスなどの特典が付加された紙媒体のクーポン券を電子化した電子クーポンを携帯情報端末に記憶させ，店舗で電子クーポンを利用できるようになった。
【０００３】
例えば，特許文献１では，携帯情報端末に所定条件に応じて所定のクーポン券を表示可能とさせる電子クーポンを蓄積し、携帯情報端末にクーポン券情報を送信するコンテンツサーバと，コンテンツサーバから受信したクーポン券情報を記憶し、所定条件に応じて所定の電子クーポンを表示する携帯情報端末とから少なくとも構成されるシステムが開示されている。
【先行技術文献】
【特許文献】
【０００４】
【特許文献１】特開２００３−１５７４０１号公報
【発明の概要】
【発明が解決しようとする課題】
【０００５】
確かに，特許文献１で開示されているシステムによれば，携帯情報端末を所持するユーザは，携帯情報端末を操作してコンテンツサーバへアクセスすることで，電子クーポンを任意の時間、場所で容易に手に入れることができるようになるが，紙媒体のクーポン券が有していた即効性のある集客効果を，電子クーポンの発行元になる店舗側で得ることはできなかった。
【０００６】
すなわち，携帯情報端末を所持するユーザは，携帯情報端末を操作してコンテンツサーバへアクセスすることで電子クーポンを手に入れるため，店舗の周辺にいる通行人に電子クーポンを店舗側で配布できず，その日の売り上げが伸び悩んでいるときや，店舗に顧客が少ないときなど，店舗側で集客したいときに，電子クーポンを用いて，店舗の周辺にいる通行人を店舗に呼び込むことはできなかった。
【０００７】
そこで，本発明は，店舗側では，その日の売り上げが伸び悩んでいるときや，店舗に顧客が少ないときなど，店舗側で集客したいときに，店舗の周辺にいる通行人に電子クーポンを配布することのできるクーポン配布装置等を提供することを目的とする。
【課題を解決するための手段】
【０００８】
上述した課題を解決する第１の発明は，位置情報を取得する位置情報取得部を備えた携帯情報端末に対して電子クーポンを配布する電子クーポン配布装置である。前記電子クーポン配布装置には，店舗の周辺にいるユーザを特定できるように，前記電子クーポンを配信するための情報が入力されると，通信番号が登録されている前記携帯情報端末に対して位置情報の送信要求を行い，前記携帯情報端末から受信した位置情報毎に，前記電子クーポンを送信した店舗の所在位置と前記携帯情報端末の位置情報間の距離を算出する距離算出部が備えられる。
【０００９】
また，前記電子クーポン配布装置には，店舗の周辺にいるユーザに前記電子クーポンを配布できるように，前記電子クーポンを配布する距離条件に該距離が適合する前記携帯情報端末を抽出し，抽出した前記携帯情報端末に対して，前記装置から受信した前記電子クーポンを送信する電子クーポン配布部が備えられる。
【００１０】
第１の発明の前記電子クーポン配布装置において，前記電子クーポン配布部が，前記装置から前記電子クーポンと共に前記距離条件が送信された場合，前記装置から受信した前記距離条件を用いて，前記電子クーポンを送信する前記携帯情報端末を抽出するようにすると，店舗からのユーザの距離に応じて前記電子クーポンの特典内容を変更することが可能になる。
【００１１】
また，第２の発明は，第１の発明にかかる前記電子クーポン配布装置を用いた電子クーポン配布システムであって，第２の発明にかかる電子クーポン配布システムには，第１の発明にかかる前記電子クーポン配布装置に加え，位置情報を取得する位置情報取得部を備え，前記電子クーポン配布装置から位置情報の送信要求を受けると，この時点の位置情報を前記位置情報検出部から取得し，該位置情報を前記電子クーポン配布装置へ送信し，前記電子クーポン配布装置から受信した電子クーポンを受信すると，該電子クーポンを記憶するアプリケーションが実装された携帯情報端末が含まれる。
【００１２】
なお，第２の発明においても，第１の発明と同様に，前記電子クーポン配布装置の前記電子クーポン配布部が，前記装置から前記電子クーポンと共に前記距離条件が送信された場合，前記装置から受信した前記距離条件を用いて，前記電子クーポンを送信する前記携帯情報端末を抽出するようにすることが望ましい。
【００１３】
更に，第３の発明は，位置情報を取得する位置情報取得部を備えた携帯情報端末と，前記携帯情報端末に対して電子クーポンを配布する電子クーポン配布装置を利用した電子クーポン配布方法であって，この電子クーポン配布方法では，  前記電子クーポン配布装置が，前記電子クーポンの発行元となる店舗側の装置から前記電子クーポンを受信するステップａ，  前記電子クーポン配布装置が，通信番号が登録されている前記携帯情報端末に対して位置情報の送信要求を行い，前記携帯情報端末から位置情報を受信するステップｂ，前記電子クーポン配布装置が，前記携帯情報端末から受信した位置情報毎に，前記電子クーポンを送信した店舗の所在位置と前記携帯情報端末の位置情報間の距離を算出するステップｃ，前記電子クーポン配布装置が，前記ステップｃで算出した距離が，前記電子クーポンを配布する距離条件に適合する前記携帯情報端末を抽出し，抽出した前記携帯情報端末に対して，前記ステップａで受信した前記電子クーポンを送信するステップｄ，が実行される。
【００１４】
なお，第３の発明の前記ステップａにおいて，前記電子クーポン配布装置は，前記装置から前記電子クーポンと共に前記距離条件を受信した場合，前記ステップｃにおいて，前記電子クーポン配布装置は，前記装置から受信した前記距離条件を用いて，前記電子クーポンを送信する前記携帯情報端末を抽出するようにすることが好適である。
【発明の効果】
【００１５】
上述した本発明によれば，店舗側では，その日の売り上げが伸び悩んでいるときや，店舗に顧客が少ないときなど，店舗側で集客したいときに，店舗の周辺にいる通行人に電子クーポンを配布することのできるクーポン配布装置等を提供できる。
【図面の簡単な説明】
【００１６】
【図１】本実施形態にかかる電子クーポン配布システムの構成を説明する図。
【図２】携帯情報端末のブロック図。
【図３】電子クーポン配布装置のブロック図。
【図４】電子クーポン配布装置に設けられるＤＢを説明する図。
【図５】電子クーポンを配布するときの流れを示したフロー図。
【図６】電子クーポンと距離条件の一例を説明する図。
【発明を実施するための形態】
【００１７】
ここから，本願発明の技術分野に係わる当業者が，本願発明の内容を理解し，本願発明を実施できる程度に説明する。
【００１８】
図１は，本実施形態にかかる電子クーポン配布システム１の構成を説明する図である。本実施形態にかかる電子クーポン配布システム１は，図１で図示したように，ＧＰＳ（Global Positioning System）の機能を備えた携帯情報端末３と，装置４に対応する店舗４ａの周辺にいるユーザが所持する携帯情報端末３へ，店舗４ａ側の装置４からから受信した電子クーポンを送信する電子クーポン配布装置２とから少なくとも構成される。
【００１９】
図１で図示した電子クーポン配布システム１は，紙媒体のクーポン券が有していた即時的な集客効果を電子クーポンでも得られるように開発されたシステムで，電子クーポン配布装置２は，電子クーポンの配布を代行するために設けられ，電子クーポン配布装置２には，電子クーポンの送信先となる携帯情報端末３を所持するユーザと，電子クーポンの発行元になる店舗４ａが会員登録される。
【００２０】
その日の売り上げが伸び悩んでいるときや，店舗４ａに顧客が少ないときなど，店舗４ａ側で電子クーポンを配布し集客したいとき，ユーザに配布する電子クーポンを配信するための情報を電子クーポン配布装置２に送信すると，電子クーポン配布装置２は，携帯情報端末３に備えられたＧＰＳの機能を利用して，電子クーポン配布装置２に会員登録しているユーザが所持している携帯情報端末３の位置情報を把握し，店舗４ａの所在位置と携帯情報端末３の位置情報間の距離が，店舗４ａの所在位置を中心とした距離条件に適合する携帯情報端末３に対して，店舗４ａから受信した電子クーポンを送信する処理を行う。
【００２１】
本実施形態にかかる電子クーポン配布システム１によれば，距離条件を店舗４ａの周辺にすれば，店舗４ａは，店舗４ａ内の顧客の数が少なくなった時間帯など，店舗４ａ側で集客したい時に，割引サービスなどの特典情報が付加された電子クーポンを店舗４ａの周辺にいるユーザに配布し，店舗４ａの周辺にいるユーザを店舗４ａに集客できるようになる。
【００２２】
また，本実施形態では，店舗４ａから電子クーポンと共に距離条件が送信された場合，電子クーポン配布装置２は，店舗４ａから受信した距離条件を用いて，電子クーポンを送信する処理を行うようにすることで，距離条件を店舗４ａの遠くに設定し，ユーザに送信する電子クーポンに付加する特典を高くすれば，店舗４ａの周辺にいるユーザのみならず，店舗４ａの遠くにいるユーザをも店舗４ａに呼び込めるようになる。
【００２３】
まず，図１で図示した電子クーポン配布システム１を構成する携帯情報端末３について説明をする。携帯情報端末３は，携帯電話やスマートフォンなど，無線通信機能を備えた端末装置で実現される装置である。
【００２４】
図２は，携帯情報端末３のブロック図で，図２で図示したように，携帯情報端末３には，無線通信する無線通信部３３と，文字や画像を表示する表示部３１と，文字などを入力する操作部３２と，携帯情報端末３の位置情報を取得する位置情報取得部３０と，データやアプリケーションを記憶する記憶部３５と，携帯情報端末３の動作を制御する制御部３４とを備えている。
【００２５】
これらの具体的な内容は携帯情報端末３として利用する装置によって異なり，例えば，汎用的な携帯電話を携帯情報端末３として利用する場合，無線基地局と通信する無線通信回路やベースバンド回路が無線通信部３３に，液晶ディスプレイが表示部３１に，十字キーなどを有する操作ボタンが操作部３２に，ＧＰＳ用の人工衛星や無線基地局を利用して位置情報を取得するＧＰＳ回路が位置情報取得部３０に，メモリが記憶部３５に，ＣＰＵ，ＲＡＭ，ＲＯＭなどが実装されたアプリケーションプロセッサが制御部３４に，それぞれ該当することになる。
【００２６】
なお，携帯情報端末３の位置情報を取得する位置情報取得部３０を実現する手法としては，ＧＰＳ用の人工衛星から得られるデータから位置情報を計測する手法に加え，携帯情報端末３が無線通信可能な中継ポイントとの通信時間に従い，携帯情報端末３の内部で位置情報を計測する手法などがあるが，いずれの手法であってもよい。
【００２７】
携帯情報端末３の記憶部３５には，電子クーポン配布装置２から電子クーポンを取得するためのアプリケーションであるクーポンアプリケーション３６と，電子クーポン配布装置２から送信された電子クーポンが記憶される。
【００２８】
クーポンアプリケーション３６は，電子クーポンの一覧を表示部３１に表示させる機能，電子クーポンの一覧からユーザが指定した電子クーポンを表示部３１に表示させる機能など，電子クーポンを利用するための一般的なアプリケーションが有する機能に加え，携帯情報端末３上で起動している間に，電子クーポン配布装置２から位置情報の送信要求を受けると，この時点の位置情報を位置情報検出部３０から取得し，この時点の位置情報を電子クーポン配布装置２へ送信し，電子クーポン配布装置２から受信した電子クーポンを受信すると，該電子クーポンを記憶部３５に記憶する処理を実行するアプリケーションである。
【００２９】
次に，電子クーポン配布装置２について説明する。図３は，電子クーポン配布装置２のブロック図である。図３で図示したように，電子クーポン配布装置２は，インターネットを介して携帯情報端末３と通信する通信部２２と，店舗４ａ側の装置４から電子クーポンが送信されると，通信番号が登録されている携帯情報端末３に対して位置情報の送信要求を行い，携帯情報端末３から受信した位置情報毎に，電子クーポンを送信した店舗の所在位置と携帯情報端末３の位置情報間の距離を算出する距離算出部２１と，電子クーポンを配布する距離条件に該距離が適合する携帯情報端末３を抽出し，抽出した携帯情報端末３に対して，装置４から受信した電子クーポンを送信する電子クーポン配布部２０と，電子クーポンなどを記憶する記憶部２４と，電子クーポン配布装置２の動作を制御する制御部２３を備えている。
【００３０】
これらの具体的な内容は電子クーポン配布装置２として利用する装置によって異なり，例えば，汎用的なサーバを用いて電子クーポン配布装置２を実現する場合，ネットワーク通信するためのネットワークインターフェースが通信部２２に，ハードディスクなどの大容量のデータ記憶装置が記憶部２４に，ＣＰＵ，ＲＡＭ，ＲＯＭなどが実装されたコンピュータボードが制御部２３に，それぞれ該当し，電子クーポン配布部２０及び距離算出部２１は，電子クーポン配布装置２として利用するサーバの制御部２２を電子クーポン配布部２０及び距離算出部２１として動作させるためのコンピュータプログラムで実現される。
【００３１】
電子クーポン配布装置２の記憶部２４にはデータベース（DB: DataBase）が設けられ，本実施形態では，電子クーポン配布システム１に利用登録したユーザにかかるデータを記憶するユーザＤＢ２５と，電子クーポン配布システム１に利用登録した店舗４ａにかかるデータを記憶する店舗ＤＢ２６が設けられる。
【００３２】
図４は，電子クーポン配布装置２に設けられるＤＢを説明する図で，図４（ａ）はユーザＤＢ２５を説明する図，図４（ｂ）は店舗ＤＢ２６を説明する図である。
【００３３】
ユーザが携帯情報端末３を操作して，電子クーポン配布システム１に利用登録するためのウェブサーバにアクセスし，ユーザにかかるユーザ情報を該ウェブサーバに入力して，電子クーポン配布システム１に利用登録すると，ユーザにかかる情報がユーザＤＢ２５に追加されると共に，該ウェブサーバから携帯情報端末３に対して，電子クーポンを利用するためのアプリケーションであるクーポンアプリケーション３６が送信され，クーポンアプリケーション３６が携帯情報端末３にダウンロードされる。
【００３４】
ウェブサーバに入力するユーザ情報の内容は任意でよく，図４（ａ）では，ユーザ情報として，ウェブサーバ側でユーザに割り当てる会員番号に関連付けて，入会年月日，ユーザの氏名，ユーザが所持している携帯情報端末３の通信番号がユーザ情報としてユーザＤＢ２５に記憶される。
【００３５】
図４（ｂ）に図示したように，店舗ＤＢ２６には，電子クーポン配布装置２を運営している会社と契約を結ぶことで，電子クーポン配布システム１に会員登録した店舗４ａにかかる店舗情報として，少なくとも，店舗４ａ毎に割り当てる店舗番号に関連付けて店舗４ａの所在位置（緯度経度）が記憶される。
【００３６】
図５は，電子クーポンを配布するときの流れを示したフロー図である。電子クーポン配布装置２が，店舗４ａが配布要求する電子クーポンと電子クーポンの距離条件を，店舗４ａ側の装置４から受信すると（Ｓ１），電子クーポン配布装置２の距離算出部２１は，ユーザＤＢ２５に登録されている携帯情報端末３の通信番号を対象とし，携帯情報端末３の位置情報の送信要求を行う（Ｓ２）。
【００３７】
携帯情報端末３にダウンロードされたクーポンアプリケーション３６が起動している状態で，位置情報の送信要求を電子クーポン配布装置２から携帯情報端末３が受信すると，クーポンアプリケーション３６は，この時点の位置情報を位置情報取得部３０から取得し，この位置情報を電子クーポン配布装置２へ送信する。
【００３８】
電子クーポン配布装置２の距離算出部２１は，位置情報を携帯情報端末３から受信すると（Ｓ３），携帯情報端末３から受信した位置情報毎に，電子クーポンを送信した店舗の所在位置と携帯情報端末３の位置情報間の距離を算出する（Ｓ４）。
【００３９】
電子クーポン配布装置２の距離算出部２１が，電子クーポンを送信した店舗の所在位置と携帯情報端末３の位置情報間の距離を算出すると，電子クーポン配布装置２の電子クーポン配布部２０が，店舗４ａ側から送信された距離条件に位置情報が適合する携帯情報端末３を抽出し（Ｓ５），抽出した携帯で情報端末に対して，店舗４ａ側から送信された電子クーポンを送信する処理を行い（Ｓ６），この手順を終了する。
【００４０】
図６は，電子クーポンと距離条件の一例を説明する図である。図６で図示した電子クーポンと距離条件の３つの組合せは同一の店舗４ａから同一の時間帯に，電子クーポン配布装置２へ送信される電子クーポンと距離条件で，電子クーポンＡの特典は割引率１０％，距離条件は店舗４ａの所在位置を中心として５０ｍ以内で，電子クーポンＢの特典は割引率１５％，距離条件は店舗４ａの所在位置を中心として１００ｍ±１０ｍ以内で，電子クーポンCの特典は割引率２０％，距離条件は店舗４ａの所在位置を中心として２００ｍ±２０ｍ以内である。
【００４１】
電子クーポン配布装置２は，電子クーポンと距離条件の３つの組合せを店舗４ａから受信すると，一つの組合せ毎に図５で図示した手順を実行し，それぞれの距離条件に適合する携帯情報端末３へ電子クーポンを配布する。
【００４２】
図６によれば，店舗４ａの周辺（半径５０ｍ以内）にいるユーザに対しては電子クーポンＡが配布され，ドーナツ状の範囲（１００ｍ±１０ｍ以内）にいるユーザに対しては電子クーポンＢが配布され，ドーナツ状の範囲（２００ｍ±２０ｍ以内）にいるユーザに対しては電子クーポンＣが配布されることにより，店舗４ａの周辺から離れているユーザに対しては高い特典の電子クーポンが配布されるようになる。
【００４３】
このように，店舗４ａの所在位置から遠ざかるに連れて電子クーポンの割引率を高くすることで，店舗４ａの周辺から離れているユーザをも店舗４ａに集客することができるようになる。
【００４４】
なお，店舗４ａの周辺からユーザが離れている場合，距離条件をドーナツ状に設定しているのは，距離条件で定まる範囲が隣接していると， 少しの距離の違いで電子クーポンの特典が変わり，ユーザに不公平感を与えてしまうからである。
【符号の説明】
【００４５】
１    電子クーポン配布システム
２    電子クーポン配布装置
２０  電子クーポン配布部
２１  距離算出部
３    携帯情報端末
３０  位置情報取得部
４    店舗側の装置
４ａ  店舗
【図１】
2012003428.tif 000003
【図２】
2012003428.tif 000004
【図３】
2012003428.tif 000005
【図４】
2012003428.tif 000006
【図５】
2012003428.tif 000007
【図６】
2012003428.tif 000008